(57)【要約】【課題】従来の酸素供給水冷却装置は、不特定の水槽や濾過装置に設置する必要があり、設置上問題があるうえ、外部への水飛散の問題があった。また、従来の濾過装置では、生物濾過学上の問題点により水質維持が充分にできず、結果として、２台以上の濾過装置を併用する必要がある。更に、鑑賞魚や活魚のような水生生物育成の観点から濾過装置と酸素供給水冷却装置とが一体となり、優れた外観を備えた濾過機能付随水冷却装置を供給する必要がある。【解決手段】本発明に係る濾過機能付随水冷却装置では、水槽に取り付け可能な濾過箱が付随された濾過装置を下部に配し、その上部に水が飛散することのない構造の酸素供給能力と好気的濾過と冷却能力が付随された装置を配し、濾過装置内の濾過箱の配置構成により、微生物活性を阻害することなく濾材の洗浄交換が可能な装置を提供することで、本発明に係るその目的を達成する。【選択図】　　　図１
2004113852.tif 000002
【特許請求の範囲】
【請求項１】
上面側に空気の吸気口と排気口と処理済水出口を有する槽本体と、槽本体内に配設した冷却酸化ユニットと、冷却酸化ユニットの上方に水平状に配設され、被処理水を冷却酸化ユニット上へ分散滴下させる水滴下部と、冷却酸化ユニットの下方に配設され、冷却酸化ユニットから滴下する処理水を濾過する消音濾過材と、冷却酸化ユニット内へ空気流を下方から上方へ向けて流通させる給気装置とを備えたことを特徴とする酸素供給水冷却装置。
【請求項２】
水滴下部を、箱状で且つ側壁に散水口を設けた箱形の液滴ガイド体と、液滴ガイド体の上方開口に嵌着したカバー体と、カバー体の下面側に固着した椀形の分散体と、液滴ガイド体の水平板より下方へ突設した液滴ガイド管２５ｂとから構成するようにした請求項１に記載の酸素供給水冷却装置。
【請求項３】
水滴下部を、導水パイプの先端に回転軸受を介設して回転自在に支持され、下方へ向けて被処理水Ｗを噴出する複数の散水口を有するプロペラ形の回転散水体から形成すると共に、散水口からの水の噴射時の反動力及び上方へ流出する排出空気流により回転散水体を自回転させる構成とした請求項１に記載の酸素供給水冷却装置。
【請求項４】
側部上方に排水口を、上面側に水供給口を夫々有する濾過槽本体と、濾過槽本体内の下方に配設した仕切りすのこ板と、槽本体内に縦向きに配設され、給水空間と濾過空間を形成する隔壁と、濾過空間内に交換自在に並列状に配置され、内部に濾過材が充填されると共に底面側から上面側へ向けて水が流通する複数の濾過箱とから成り、流入した水が前記給水空間から濾過槽本体の底部、各濾過箱を流通して前記排水口より排出される構成としたことを特徴とする濾過装置。
【請求項５】
濾過箱を夫々独立した３個の濾過箱とすると共に、前記排出口を形成する排出口筒体の下面側に複数の係止用突起体を形成し、当該係止用突起体を水槽の上部補強材へ係合させることにより、濾過槽本体を水槽へ係止させるようにした請求項４に記載の濾過装置。
【請求項６】
上面側に空気の吸気口と排気口と処理済水出口を有する槽本体と、槽本体内に配設した冷却酸化ユニットと、冷却酸化ユニットの上方に水平状に配設され、被処理水を冷却酸化ユニット上へ分散滴下させる水滴下部と、冷却酸化ユニットの下方に配設され、冷却酸化ユニットから滴下する処理水を濾過する消音濾過材と、冷却酸化ユニット内へ空気流を下方から上方へ向けて流通させる給気装置とを備えた酸素供給水冷却装置Ｕの下方に、側部上方に排水口を、上面側に水供給口を夫々有する濾過槽本体と、濾過槽本体内の下方に配設した仕切りすのこ板と、槽本体内に縦向きに配設され、給水空間と濾過空間を形成する隔壁と、濾過空間内に交換自在に並列状に配置され、内部に濾過材が充填されると共に底面側から上面側へ向けて水が流通する複数の濾過箱とから成り、流入した水が前記給水空間から濾過槽本体の底部、各濾過箱を流通して前記排水口より排出される構成とした濾過装置Ｆを配設し、前者の処理済水出口と後者の水供給口を連通させて一体化する構成としたことを特徴とする濾過機能付随水冷却装置。
【請求項７】
酸素供給水冷却装置の槽本体の底面の外形と、濾過装置の濾過槽本体の底面の外形とを、夫々同一寸法とするようにした請求項６に記載の濾過機能付随水冷却装置。
【請求項８】
ハニカム状もしくは格子状の多孔質部材から成る冷却酸化ユニットに処理水を滴下し、その液層と気体との接触面積が大きくなることを特徴とし、その接触面に強制給気しその接触面積がより大きくなることで被処理水への酸素溶解率が高くなることと気化熱による冷却能力が付随されることを特徴とする水浄化及び酸素供給水冷却装置に、充分な濾過材を充填する空間を付随させることができる濾過装置を付加したことを特徴とする濾過機能付随水冷却装置。
【請求項９】
請求項８に記載の装置において、冷却能力が付随された水浄化及び酸素供給水冷却装置と、充分な濾過材を充填する空間を付随させることができる濾過装置とが分割でき、それぞれ単体でも使用できることを特徴とする濾過機能付随水冷却装置。
【請求項１０】
酸素供給水冷却装置の水滴下部の水が外部に飛散しないような構造であることを特徴とする請求項８及び請求項９に記載される濾過機能付随水冷却装置。
【請求項１１】
水滴下部の滴下口が垂直方向だけでなく、水平方向にも水を滴下、飛散できることを特徴とする請求項１０に記載の濾過機能付随水冷却装置。
【請求項１２】
水滴下部の構造が、その水流もしくは水圧と、風力によりより回転し、被滴下部に水がまんべんなく散布される構造とした請求項１０に記載の濾過機能付随水冷却装置。
【請求項１３】
水槽の壁面に引っかけて使用できることのできる請求項８又は請求項９に記載の濾過機能付随水冷却装置。
【請求項１４】
濾過装置を、濾過材を充分に充填される濾過層にカートリッジ式の濾過箱を設け、この濾過箱が３つ以上であり、任意の濾過箱の取り出し時に、他の濾過箱を移動させたり、大気にふれさすことなく取り出せる構造とするようにした請求項８又は請求項９に記載の濾過機能付随水冷却装置
【発明の詳細な説明】
【０００１】
【発明の属する技術分野】
本発明は水処理技術の分野に属するものであり、特に濾過機能を備えた水冷却装置の改良に関するものである。
【０００２】
【従来の技術】
水冷却装置に浄化機能を具備せしめた装置は、従前から各種の型式のものが開発されており、本願出願人も先きに特開平１１−３１８２７１号として、主として養魚水槽水の浄化・冷却用に用いる浄化機能を備えた水冷却装置を開発し、これを公開している。
しかし、上記特開平１１−３１８２７１号の浄化機能を備えた水冷却装置には、▲１▼浄化能力が相対的にに低く、装置の小形化並びに省エネルギーを図り難いこと、▲２▼充填材の各部分にかかる浄化負荷に斑が生じ易いこと及び▲３▼水浄化装置の騒音が高いこと等の難点があり、実用上様々な問題が生じていた。
【０００３】
一方、上述の如き問題を解決するものとして、本願出願人は図６の如き濾過機能を備えた酸素供給水冷却装置Ｕと濾過装置Ｆとを組み合せした、図５の如き濾過機能を強化した水冷却装置（濾過機能付随水冷却装置と呼ぶ）Ｔを開発し、これを特願２００１−１１０５６４号として公開している。
即ち、図６の酸素供給水冷却装置Ｕは処理槽本体１内に導水パイプ２、分散体３、液滴ガイド体４、案内板４ａ、滴下ガイド管４ｂ、充填材５、給気装置６、消音濾過材７等を設け、被処理水Ｗを滴下ガイド管４ｂを通して充填材５上へ滴下させ、充填材５内で生物処理した処理水Ｗ１　を消音濾過材７で濾過すると共に、通気部Ｐを通して空気流Ａを充填材５内へ向流方式で流通させる構成としたものである。尚、８は処理済水出口、９は吸気口、１０は排気口、１１は蓋体、Ｗ３　は処理済水である。
【０００４】
また、図７は、上記図６の酸素供給水冷却装置Ｕの水浄化・濾過機能を更に強化するようにした濾過機能付随水冷却装置Ｔを示すものであり、濾過装置Ｆを別途に設けてこれに酸素供給水冷却装置Ｕからの処理済水Ｗ３　を導入し、濾過材１３で濾過処理したあと水槽１２へ戻すようにしたものである。尚、１４は支持架台、１５はポンプ、１６は連結管、１７は連結管、ＷＬ　は水面である。
【０００５】
上記特願２００１−１１０５６４号に係る酸素供給水冷却装置Ｕ及びこれを用いた濾過機能付随水冷却装置Ｔ等は、単位容積当りの水浄化能力が高くて装置の小形化及び省エネルギー化が図れると共に、低騒音で運転ができると云う優れた効用を奏するものであるが、当該各装置Ｕ、Ｔにも解決すべき多くの問題点が存在する。
【０００６】
先ず第１の問題は、被処理水Ｗの飛散の問題である。即ち当該酸素供給水冷却装置Ｕでは、図６及び図７からも明らかなように、排気口１０から外部へ排出される空気流Ａ内に滴下水が巻き込まれ、空気流Ａと一緒に外部へ飛散することを構造上確実に防止する事ができないと云う点である。
また、飛散を防止するためには、その手段として排気口１０の外部に飛散防止カバー等を設ける必要があり、外観上や空間上の問題点を生ずることになる。
【０００７】
更に、図７の濾過機能を強化した水冷却装置Ｔに於いては、水循環部への取り付けの点に問題があり、鑑賞魚の分野などでは、外観を損なうおそれがある。
加えて、図７の濾過機能を強化した水冷却装置Ｔに於いては、濾過装置Ｆの濾過材交換時に微生物活性を大幅に損なうおそれがあり、微生物活性の回復までに長時間を必要とするケースが生ずると云う問題があった。
【０００８】
【発明が解決しようとする課題】
本願発明は、先きに公開をした酸素供給水冷却装置Ｕと濾過装置Ｆとを組み合せした濾過機能付随水冷却装置Ｔに於ける上述の如き問題、即ち▲１▼構造上、水が外部へ飛散するのを完全に防止することが出来ないこと、▲２▼酸素供給水冷却装置Ｕを水槽や濾過装置Ｆへ簡単に取り付けすることが出来ず、その設置に様々な困難があること、▲３▼濾過装置Ｆに生物濾過学上の問題があって水質維持が充分にできないため、その目的を達するためには２台以上の濾過装置Ｆを併用する必要があること、及び▲４▼鑑賞魚や活魚のような水生生物育成の観点から、酸素供給水冷却装置Ｕと濾過装置Ｆとを予かじめ一体化し、コンパクトな形態で使用できるようにしたものが存在しないこと等の問題を解決せんとするものである。
【０００９】
即ち、本発明に係る濾過機能付随水冷却装置Ｔは、従来の上述の如き問題点に鑑みて発明をされたものであり、外観や空間を重視することと、不特定多数の消費者に能力の高い浄化・濾過機能を持った酸素供給水冷却装置Ｕやこれと濾過装置Ｆとを一体化して成る濾過機能付随水冷却装置Ｔを、使いやすい形で提供せんとするものである。
【００１０】
【課題を解決するための手段】
請求項１の発明は、上面側に空気の吸気口と排気口と処理済水出口を有する槽本体と、槽本体内に配設した冷却酸化ユニットと、冷却酸化ユニットの上方に水平状に配設され、被処理水を冷却酸化ユニット上へ分散滴下させる水滴下部と、冷却酸化ユニットの下方に配設され、冷却酸化ユニットから滴下する処理水を濾過する消音濾過材と、冷却酸化ユニット内へ空気流を下方から上方へ向けて流通させる給気装置とを備えたことを発明の基本構成とするものである。
【００１１】
請求項４の発明は、側部上方に排水口を、上面側に水供給口を夫々有する濾過槽本体と、濾過槽本体内の下方に配設した仕切りすのこ板と、槽本体内に縦向きに配設され、給水空間と濾過空間を形成する隔壁と、濾過空間内に交換自在に並列状に配置され、内部に濾過材が充填されると共に底面側から上面側へ向けて水が流通する複数の濾過箱とから成り、流入した水が前記給水空間から濾過槽本体の底部、各濾過箱を流通して前記排水口より排出される構成としたことを発明の基本構成とするものである。
【００１２】
請求項６の発明は請求項１に記載の酸素供給水冷却装置の下部に、請求項４に記載の濾過装置を配設し、両者を分離自在に一体的に組付けして酸素供給水冷却装置で処理した処理済水を、更に濾過装置で濾過することを発明の基本構成とするものである。
【００１３】
【発明の実施の形態】
以下、図面に基づいて本発明の実施形態を説明する。
図１は、本発明に係る「酸素供給と浄化と冷却及び濾過機能」を強化した水冷却装置（以下、濾過機能付随水冷却装置Ｔと呼ぶ）の断面概要図であり、上部の酸素供給水冷却装置Ｕと下部の濾過装置Ｆとから濾過機能付随水冷却装置Ｔが形成されている。
【００１４】
当該濾過機能付随水冷却装置Ｔは、濾過装置Ｆの側面に形成された排出口Ｆｓを水槽Ｗｔの側壁上端へ引っかける構造となっている。即ち、濾過処理済水Ｗ４　の排出口Ｆｓを構成する筒体３９の下面側に突起Ｆｔが形成されており、この突起Ｆｔを利用することにより市販の水槽Ｗｔの上部補強材Ｔｓが如何なる形状のものであっても、滑ることなく濾過装置Ｆを水槽Ｗｔの側壁上端へ係止できるようになっている。
【００１５】
また、その滑りを押さえるために、濾過装置Ｆと水槽Ｗｔの間に滑り止めＦｇを配し、固定性能を十分に確保した構造となっている。
【００１６】
上記滑り止めＦｇとしては、軟質材で樹脂やゴム等その目的を達成するものであれば如何なる材料でも使用できまた、その形状もそれに合致したものであれば如何なるものであってもよい。
また、図１によれば、酸素供給水冷却装置Ｕと濾過装置Ｆとは接続された状態となっているが、上部の酸素供給水冷却装置Ｕを取り外し、単体で使用することも可能である。このときは、排出口２９を直接水槽Ｗｔに接続すればよい。
更に、下部濾過装置Ｆを単体で使用するときは、配管３４を濾過装置Ｆの給水空間Ｆｂに接続すれば、その機能を果たすこととなる。
【００１７】
図１を参照して、当該図１に於いてＷは被処理水、Ｗ２　は分散水、Ｗ１　は滴下水、Ｗ３　は処理済水、Ｗ４　は濾過処理済水、Ａは空気流、Ｃは水滴下部、２０は槽本体、２１は隔壁、２２は導水パイプ、２３は分散体、２４はカバー体、２５は液滴ガイド体、２６は冷却酸化ユニット、２７は給気装置、２８は消音濾過材、２９は処理済水出口、３０は吸気口、３１は排気口、３２は消音濾過材支持体、３３は支持桟体、３４は配管であり、酸素供給水冷却装置Ｕは分散体２３、カバー体２４、液滴ガイド体２５等から成る水滴下部Ｃと冷却酸化ユニット２６、給気装置２７、消音濾過材２８等により、その要部が構成されている。
【００１８】
また、図１に於いて、３５は濾過槽本体、３６は隔壁、Ｆ１　・Ｆ２　・Ｆ３　は濾過箱（カセット式）、３７は濾過箱上面、３８は濾過箱底面、Ｆｓは排出口、３９は排出口を形成する筒体、４０は仕切りすのこ、Ｆｂは給水空間、Ｐはポンプ、Ｗａは吸水口であり、濾過槽本体３５、隔壁３６、濾過筒Ｆ１　・Ｆ２　・Ｆ３　、排出口用筒体３９、仕切りすのこ４０等から濾過装置Ｆが構成されている。
【００１９】
前記槽本体２０は合成樹脂等により四角形に形成されており、その内部は隔壁２１により水浄化部と通気部の二つの区画に区分されている。また、槽本体２０には処理済水出口２９、吸気口３０、排気口３１等が設けられており、更に前記隔壁２１の下方は通気開口となっている。
【００２０】
前記導水パイプ２２は槽本体２０の側部下方より内方へ挿入され、水浄化部の略中央部を上方へ向けて立上げられており、その上端は分散体２３の下面側に向けて開口されている。
【００２１】
前記分散体２３はカバー体２４の中央部の裏面側に支持固定されており、導水パイプ２２より大径の円形の逆皿形（又は椀形）に形成されている。
【００２２】
前記液滴ガイド体２５は、分散体２３の下方に、冷却酸化ユニット２６の上端面との間に適宜の間隔を置いて略水平姿勢に支持固定されており、後述するように、平板状の案内板２５ａに、上・下両端が開口した多数の短かい滴下ガイド管２５ｂの上端部を固設することにより形成されている。
【００２３】
前記冷却酸化ユニット２６は所謂濾材ユニット若しくは酸化処理ユニットを構成するものであり、多孔質性の合成樹脂材又はセラミック材等から成る断面形状がハニカム状のもので、それ自体が腐食されないものであればいかような材質を使用してもよい。
【００２４】
このハニカム状の壁は微生物担時体となるべく、また循環水Ｗｌと空気流Ａの接触面積が大きくなり、酸素供給性と水の蒸発性が高くなるように、その細孔は１マイクロメーターから１０００マイクロメーター程度がよく、１００マイクロメーターから５００マイクロメーターがもっともよく、更に貫通孔を有するものがよりよい。
【００２５】
その材質としてはポリプロピレン、ポリエチレン等の有機高分子や珪藻土等の珪酸化合物やアルミナ等のものを代表とする焼結されたもので、有機物の吸着能力を有する含水珪酸マグネシウム等の多孔質結晶や活性炭、ゼオライト等の天然鉱石、イオン交換剤等の使用で、その能力が活性化する。後者は吸着された有機物やイオン交換されたアンモニウム等がその酸化環境下で有効に生物化学的に酸化される。
【００２６】
また、酸素がとけ込むためと水の蒸発性を考慮すれば、被処理水と空気の接触表面積が大きい方がよい。このとき供給される水の粘度により、細孔もしくは表面の凹凸の大きさや滞留時間等を特定することは難しいが、細孔は１００マイクロメーター程度から２０００マイクロメーター程度がよいが、単に凹凸となれば、一概にはいえない。
【００２７】
そのため、厚みが１ミリメートルから３ミリメートル程度の連続不定形孔を有するものが最良である。ただし、本装置の大きさ流量、風量によりハニカム口径寸法や外壁厚みは、それぞれに適合したものを使用する必要がある。
【００２８】
また図１で記載されている冷却酸化ユニット２６はハニカム状のものであるが、給排気が問題なく行われその酸化目的が達成されるものであれば繊維状、不定形状のものでも使用できる。
【００２９】
前記給気装置２７は、モータ２７ａと回転羽根２７ｂから構成されており、吸気口３０から吸入した空気流Ａを通気部、通気口、水浄化部、冷却酸化ユニット２６を通して押込み流通させ、排気口３１から槽本体２０外へ排出する。
【００３０】
消音濾過材２８は滴下時に発生する滴音を消音する目的と、冷却酸化ユニット２６で濾過が不完全であった浮遊懸濁物質等を濾過し再酸化することが目的で、多孔質なウレタンスポンジ、ポリプロピレン等の有機軟質剤やグラスウールやポリプロピレン等の繊維状のものが最良である。消音することと、懸濁物を濾過することが可能なものであれば、如何なる素材形状のものでもよい。
【００３１】
次に、当該酸素供給水冷却装置Ｕの作動について説明する。
被処理水Ｗが供給口Ｗａから供給され、導水パイプ２２をへて分散体２３で分散され、その分散水Ｗ２　が滴下ガイド管２５ｂの滴下口２５ｂ１　をつたい、また、蓄積された水が散水口２５ｃから散水され、まんべんなく冷却酸化ユニット２６に滴下され、冷却酸化ユニット２６で給気装置２７より給気された空気Ａが滴下水Ｗ１　の蒸発を促進し、気化熱を奪い、水温（処理済水Ｗ３　）と排気温（空気流Ａ）を低下させると共に、処理済水Ｗ３　に酸素を溶解する。
【００３２】
このとき、従来の装置のように排気Ａが槽本体２０の上方へ排出されるため、滴下水Ｗ１　が外部に飛散することはない。
【００３３】
供給口Ｗａから供給される被処理水Ｗは、事前にラッシヒリングや繊維状の物理的濾過材により粒径の大きい異物を除去したり、或いは活性炭等の物理的吸着剤により色素や臭い等を除去する処理を施しておく方がより望ましい。
【００３４】
酸化され冷却された酸素強制溶存冷却水（処理済水）Ｗ３　は、冷却酸化ユニット２６の下部の消音濾過材２８上に滴下される。このようにして処理された処理済水Ｗ３　は排出口２９より排出されて行く。
【００３５】
濾過装置Ｆは、四角状の濾過槽本体３５と、その内部に隔壁３６により形成した空間部に挿着した複数の濾過箱Ｆ１　、Ｆ２　、Ｆ３　等から形成されており、各濾過箱Ｆ１　、Ｆ２　、Ｆ３　はすのこ状の仕切板４０の上に支持固定されている。
【００３６】
前記濾過箱Ｆ１　、Ｆ２　、Ｆ３　は底部３８と上部３７がすのこ状構造になっており、水が濾過箱内を通過できる構造となっている。また、上部すのこ部３７は濾過材の交換のために脱着できる構造となっている。
濾過箱の材質や形状はその目的を達成するものであればいかような材質、構造であっても良いことは勿論である。
【００３７】
又、前記各濾過箱Ｆ１　、Ｆ２　、Ｆ３　はそれぞれ独立しており、底部３８と上部３７が前述の如くすのこ状構造となっていて、任意の濾過材が充填できるようになっている。
【００３８】
更に、各濾過箱Ｆ１　、Ｆ２　、Ｆ３　はそれぞれ独立しているため、任意の１つを他を動かすことなく取り出して、洗浄交換することができる。このことは濾過学上非常に重要な事である。
通常の濾過装置では、濾過箱や濾過材は区分けにより分割可能な構造となっている。しかし、その任意の１つの箇所を洗浄もしくは交換しようと思うと、他の部分を取り出すか、もしくは移動してからでなければその作業を行うことのできない構造となっている。
この作業に伴い、従来活性化していた生物濾過が、空気に触れたり、移動させることにより、好気的、嫌気的、濾過材配置、水流の変化等が発生して、生物学上の濾過を停止する場合が多い。それに伴い、水質の変化が起こり、飼育生物に大きな影響を与える。
【００３９】
これに対して、本発明の濾過箱Ｆ１　、Ｆ２　、Ｆ３　の構造を取ることにより、定期的な洗浄、交換において他の濾過層を１ケ月以上放置させることにより充分な生物学的濾過を維持できることになる。
この理屈はこうである。たとえば、水槽をセットし水生生物を飼育した。当初は水の汚れも少ないため、濾過箱内の濾過材で徐々に微生物が活性し、生物濾過が進行する。そしてその汚れに伴いその活性率も上昇する。
しかし、活性状態にある濾過材は人の目から見ると非常に汚く見える。そのまま放置すれば、濾過機能は低下し、いずれその活性率もかなり低くなる。
【００４０】
その時点で、１つの濾過箱たとえばＦ１　を交換する。その時Ｆ１　は生物濾過活性は０％である。他の２つは７０％の活性率を持つとしよう。
その交換時、他のものを空気に触れさせたり、移動させたときの活性率は、現状データでは平均で３０％まで低下する。また低下するのみであればよいのだが、好気的環境にさらされた場合には、アンモニウムや亜硝酸といった有害物の蓄積が始まる。これは、嫌気的脱窒作用の不活性現象である。
【００４１】
話を戻し、交換された濾過箱Ｆ１　を２週間放置すると、活性率は５０％程度に上昇する。その時点で、他の二つはまだ７０％の活性率を維持している。
１ケ月後、Ｆ１　濾過箱は７０％の活性率を持つ。その時もう１つの濾過箱Ｆ２　を交換するわけである。するとＦ１　＝８５％、Ｆ２　＝０％、Ｆ３　＝６５％という具合に活性を維持する、すなわち水質を維持できるわけである。
このローテーションを繰り返すことにより３つの濾過箱を用いたとして、１つの濾過箱の活性率平均を５０％以上にすることができる。このことにより全濾過箱の容量が１．５Ｌあった場合、１５０Ｌの水槽で適度な給餌と定期的な換水（１週間に３０Ｌ程度、日本の都市の平均的な水道水）を行ったとして、一般的な小型鑑賞魚（たとえばＰａｒａｃｈｅｉｒｏｄｏｎ　ａｘｅｉｒｏｄｉ）の成魚を５００匹飼育したとしても、充分に寿命まで飼育育成することができる。
【００４２】
濾過箱の設置個数は多いほど良いが、設置場所等の観点からその限度はある。前述のデーターは、その飼育されうる生物により濾過材の種類は検討する必要がある。
【００４３】
図１を参照して、上方部の酸素供給水冷却装置Ｕからは、排水口２９を通して濾過装置Ｆへ適水温、飽和酸素の生物学的濾過学上理想的な物性の処理済水Ｗ３　が供給されることになる。
即ち、供給された処理済水Ｗ３　は、下部に配される濾過槽本体３５内の給水空間Ｆｂを経て仕切すのこを通過し、それぞれ濾過箱Ｆ１　、Ｆ２　、Ｆ３　内を矢印方向に通過することにより、濾過された濾過水Ｗ４　となって排出口Ｆｓから再び水槽Ｗｔ内へ戻る。
【００４４】
図２は水滴下部Ｃを形成する液滴ガイド体２５とそのカバー体２４の斜面図である。液滴ガイド体２５は上面が開放された四角形の箱状に形成されており、その水平板２５ａの裏面側には多数の液滴ガイド管２５ｂが取り付けられており、滴下孔２５ｂ１　が開口されている。また、その周壁には多数の散水孔２５ｃが形成されている。
更に、前記カバー体２４は四角形の周壁の上部へ着脱自在に嵌合され、その裏面側には分散体２３（図示省略）が固着されている。
尚、図２では、図１に描かれていない製品本体へ接続される枠２５Ｌが描かれている。このような形態にすることにより、冷却酸化ユニット２６からの空気流Ａをうまく上部へ逃がす構造となっている。
【００４５】
図３は、水滴下部Ｃの他の実施形態を示す正面図、図４は水滴下部Ｃの側面図、図５は回転散水体４１の側面図である。
本実施例では、水滴下部Ｃが２個の回転散水体４１と導水パイプ２２の上端部に設けた回転軸受２２ａとから構成されており、回転散水体４１内へ導入された被処理水Ｗが散水口４１ａから噴出され、その反動で回転散水体４１には回転力が作用する構成となっている。
【００４６】
即ち、パイプ２２から供給された被処理水Ｗは回転散水体４１に到達し、散水口４１ａから散水される。このとき散水口４１ａには４５度程度下向きに角度を持たせてあるため、反動による推進力が回転散水体４１に働くことになり、回転軸受２２ａを介して回転する仕組みになっている。
【００４７】
また、前記回転散水体４１は、給気装置２７よりの風圧により回転がスムーズになるようなプロペラ形状に形成されており、そのため、回転散水体４１が回転することにより、散水口４１ａより供給される滴下水Ｗ１　は、冷却酸化ユニット２０をまんへんなく濡らすこととなる。
【００４８】
【発明の効果】
本発明の酸素供給水冷却装置に於いては、被処理水が流下する多孔性ハニカム状体又は格子状体より成る冷却酸化ユニット内へ給気装置からの空気流を被処理水と対向流の形態で流通させ、槽本体の上面側より空気流を直線的に排出する構成としている。これにより、被処理水内の酸素の含有量が大幅に増加すると共に、水が槽本体の外方へ飛散するのが完全に防止されることになり、結果として被処理水に対する生物的浄化能力が大幅に向上し、酸素供給水冷却装置の小型化及び製造コストの引下げ、省エネルギー等が可能となる。
【００４９】
また、本発明では冷却酸化ユニットの下方に消音濾過材を配設し、冷却酸化ユニットからの処理水を消音濾過材上へ滴下させてこれを濾過するようにしている。その結果、処理水の滴下に起因する騒音が皆無になると共に、より浄化レベルの高い処理済水を得ることができる。
【００５０】
更に、本発明では冷却酸化ユニットの上方に液滴ガイド体を配設し、液滴ガイド体の滴下ガイド管を通して被処理水を冷却酸化ユニット上へ滴下させるようにしている。その結果、被処理水が冷却酸化ユニットの上面へ極めて均一に分散滴下されることになり、滴下水量の斑に起因する様々な不都合が皆無となる。
【００５１】
本発明の濾過装置に於いては、濾過槽本体内に、適宜の濾過材を取替自在に充填した複数個の濾過箱をカセット方式でもって取替自在に配設し、酸素供給水冷却装置からの処理済水Ｗ３　を前記各濾過箱内を下方より上方へ向けて流通させると共に、各部濾過箱の上方より流出せしめた濾過処理水Ｗ４　を水槽へ戻す構成としている。
その結果、各濾過箱の濾過材を順次プログラム的に取替えすることにより、濾過装置を常に生物学的に高度な活性化状態下で作動させることができ、高い濾過性能を安定して維持することができる。
【００５２】
即ち、濾過材が複数のブロックで分割され、その濾過材を交換するのに、交換する濾過材以外は水から引き出す必要がない。その結果、交換しない濾過材は水中に残されることになり、生物濾過性能が濾過材の交換のために損なわれない。
【００５３】
本発明に係る濾過機能付随水冷却装置Ｔにおいては、前記酸素供給水冷却装置Ｕと濾過装置Ｆとを有機的に結合させ、水槽内の水を連続的に循環浄化する構成としている。その結果、長期に亘って水槽内の水を高純度・高溶存酸素の状態に保持することができ、魚類等の生体や水生植物の成育を促進させることが出来ると共に、生体の死滅をより少なくすることができる。
また、濾過機能付随水冷却装置Ｔ自体のコンパクト化及び美感の向上が可能となり、実用的効用が大幅に向上する。
【００５４】
以上のように、本発明に係る濾過機能付随水冷却装置によれば、設置上外観の改善を行った飛散防止装置を提供し、その能力は、循環水に効率よく酸素を溶存させ処理水溶存物質の酸化を生物学的化学的に促進することと、水温を湿球温度程度まで低下させ、生物濾過学的に充分考慮された濾過装置を付随させることにより、閉鎖的循環水槽においては充分な溶存酸素量を確保すること及び濾過機能の拡充により飼育生物や環境改善等を成し遂げることに成功したものである。
【図面の簡単な説明】
【図１】本発明に係る濾過機能付随水冷却装置Ｔの一実施形態を示す断面概要図である。
【図２】本発明の酸素供給水冷却装置Ｕで使用する水滴下部Ｃの斜面図である。
【図３】水滴下部Ｃの他の実施例を示す正面図である。
【図４】図３に示した水滴下部Ｃの側面図である。
【図５】回転散水体の側面図である。
【図６】先行技術に係る酸素供給水冷却装置の断面図である。
【図７】先行技術に係る濾過機能付随水冷却装置の断面概要図である。
【符号の説明】
Ｔは濾過機能付随水冷却装置、Ｕは酸素供給水冷却装置、Ｆは濾過装置、Ｆ１　・Ｆ２　・Ｆ３　は濾過箱、Ｆｂは給水空間、ＷＬ　は水位、Ｆｓは濾過処理済水Ｗ４　の排出口、Ｗｔは水槽、Ｆｔは係止用突起体、Ｆｇは滑り止め、Ｐはポンプ、Ｗａは吸水口、Ｔｓは水槽上部の補強材、Ｗは被処理水、Ｗ１　は滴下水、Ｗ２　は分散水、Ｗ３　は処理済水、Ｗ４　は濾過処理済水、Ａは空気流、Ｃは水滴下部、２０は槽本体、２１は隔壁、２２は導水パイプ、２２ａは回転軸受、２３は分散体、２４はカバー体、２５は液滴ガイド体、２５ａは水平板、２５ｂは液滴ガイド管、２５ｂ１　は滴下孔、２５ｃは散水口、２６は冷却酸化ユニット、２７は給気装置、２８は消音濾過材、２９は処理済水出口、３０は吸気口、３１は排気口、３２は消音濾過材支持体、３３は支持桟体、３４は配管、３５は濾過槽本体、３６は隔壁、３７は濾過箱上面、３８は濾過箱底面、３９は排出口筒体、４０は仕切りすのこ、４１は回転散水体、４１ａは散水口。
【図１】
2004113852.tif 000003
【図２】
2004113852.tif 000004
【図３】
2004113852.tif 000005
【図４】
2004113852.tif 000006
【図５】
2004113852.tif 000007
【図６】
2004113852.tif 000008
【図７】
2004113852.tif 000009